【事件の表示】
　平成　３年特許願第１０８７４０号「弾球遊技機」拒絶査定に対する審判事件［平成　４年１１月　５日出願公開、特開平　４−３１４４７５］について、次のとおり審決する。
【結　論】
　本件審判の請求は、成り立たない。
【理　由】
［１］手続の経緯・本願発明
　本願は、平成３年４月１３日の出願であって、特許請求の範囲に記載された請求項１乃至３に係わる発明（以下「本願発明１乃至３」という）は、当該請求項に記載された次のとおりのものと認める。　
　【請求項１】　
　玉受部材の開放時間が予め定められた所定時間内に設定される複数の電動入賞装置を備えた弾球遊技機において、前記複数の電動入賞装置は、作動口への入賞に基づいて表示結果を導出する可変表示装置の表示結果が予め定めた表示結果となったときに開放される主電動入賞装置と、該主電動入賞装置への打玉の入賞に基づいて開放される副電動入賞装置と、該副電動入賞装置への打玉の入賞に基づいて開放される副々電動入賞装置と、に分類される一方、前記可変表示装置を遊技盤のほぼ中央に配置すると共に前記作動口を前記可変表示装置の下方に配置し、さらに少なくとも前記副電動入賞装置と副々電動入賞装置とを副電動入賞装置が副々電動入賞装置より上方であって遊技盤の同一縦方向線上に位置しないようにずらして配置し、少なくとも前記副電動入賞装置における前記所定時間内の開放時間を複数個に分割すると共に、その分割された各開放時間に対応する副電動入賞装置の開放動作が前記副々電動入賞装置の前記所定時間内の開放時間とほぼ同じ時間間隔を置いて行われるように開放制御されることを特徴とする弾球遊技機。　　
　【請求項２】　
　前記主電動入賞装置は、前記副々電動入賞装置より上方であって遊技盤の同一縦方向線上に位置しないようにずらして配置されていることを特徴とする請求項１記載の弾球遊技機。
　【請求項３】　
　前記主電動入賞装置と副電動入賞装置とを前記遊技盤の正面視ほぼ中央の同一縦方向線上に位置するように配置したことを特徴とする請求項１又は請求項２に記載の弾球遊技機。
　
［２］刊行物に記載された発明　　　
　原査定の拒絶理由に引用された（１）特開平１−１７０４８３号公報、及び本願出願前に頒布された刊行物である、（２）実願平１−４８２４５号（実開平２−１３９６８７号）のマイクロフィルム、（３）特開昭６３−１５００８５号公報には、以下の事項が記載されている。　　
　　　
（１）特開平１−１７０４８３号公報（以下「刊行物１」という）記載事項　（１−１）．「別遊技装置４は、図面の実施例によれば、縦に５段の表示窓１０を有する図柄表示器７を、横に３列並べて、・・・。そして、打球が図柄停止口８に入賞すると、図柄が明るくなって順次停止する。停止した図柄を読み取り、図柄が横一列に揃った場合を当りとするのである。」（第２頁右上欄第１１〜１９行）　　　
　（１−２）．「上記別遊技装置４が当りとなると、この当り、即ち特定遊技状態を特定遊技検出手段が検出し、該特定遊技検出手段の出力に基づいて第１の条件に従って第１入賞装置５の可動部材１１を打球が入賞し易い状態に変換するのである。第１の条件とは、一定時間例えば約５秒間開放したり、一定時間間隔で、例えば開状態約０．８秒、閉状態約５秒で、５回開閉することなどである。」（第２頁右上欄第２０行〜同頁左下欄第７行）　　
　（１−３）．「第１入賞装置５に打球が入賞すると、該第１入賞装置５に設けた打球入賞検出手段としての感知スイッチ１２により打球の入賞を検出し、この検出出力を記憶手段により記憶する。そして、記憶手段の出力に基づいて第２入賞装置６の可動部材１３を第２の条件に従って打球が入賞し易い状態に変換させるのである。第２の条件とは、例えば５秒間、あるいは８秒間開放することである。」（第２頁左下欄第１０〜１７行）　　
　（１−４）．「尚第２入賞装置６の可動部材１３の開放１回宛の入賞球数に上限を設けてもよいし、一定間隔で開閉するようにしてもよい。」（第２頁左下欄第末行〜同頁右下欄第２行）　　　
　（１−５）．第２図には、第１入賞装置が、開状態約０．８秒、閉状態約５秒のサイクルを繰り返す際、第２入賞装置は、第１入賞装置の５秒間の閉状態のときに開状態となることが示されている。　　　
　（１−６）．第１図には、図柄表示器が遊技盤のほぼ中央に配置されていることが示されている。
　してみると、　　
　（１−７）．刊行物１には以下の発明が記載されていることとなる。
　遊技盤のほぼ中央に配置された図柄表示器の回転が順次停止し、図柄表示器の図柄が揃った特別遊技状態のときには、第１入賞装置を、開状態約０．８秒、閉状態約５秒で５回開閉させ、当該入賞装置に打球が入賞したときは、第２入賞装置を、第１入賞装置１が５秒間の閉状態のとき開放すること。　　
（２）実願平１−４８２４５号（実開平２−１３９６８７号）のマイクロフィルム（以下「刊行物２」という）記載事項。　
　（２−１）．「また、上記遊技盤５の遊技部９のほぼ中央には、可変表示装置１３を有する中央役物ユニット１４と、第１始動口１５と、変動入賞装置１６と、アウト口１７をほぼ縦方向に配設し、」（第５頁第４〜７行）　　（２−２）．「そして、遊技者が発射した打球が遊技部９に設けた第１始動口１５又は変動入賞装置１６のベース板５６に設けた第２始動口６０に流入し、・・・。ステップ１９では、停止した図柄を比較して役の判定を行い、左図柄、中図柄、右図柄が一致する場合にはステップ２２に進み、・・・。ステップ２２からは大当り処理となり、・・・、ステップ３１で大入賞口駆動ソレノイド５８の出力をオンして大入賞口５７を開放する。」（第１３頁第６行〜第１６頁第７行）
　　
（３）特開昭６３−１５００８５号公報（以下「刊行物３」という）記載事項。　　
　（３−１）．「可変表示部材２２の下方には、始動領域２９が設けられ、」（第３頁左上欄第１７〜１８行）　　
　（３−２）．「遊技盤５の適宜の位置には可変入賞球装置４１が設けられ、この可変入賞球装置４１は開閉自在な開閉板４２を有して形成され」（第３頁右上欄第３〜５行）
　（３−３）．「始動入賞領域２９に入賞し、または・・・始動入賞領域４５、４６に入賞すると、・・・可変表示部材２２の回転ドラム２３，２４、２５が回転し、停止ボタン９を押圧するか、または５秒経過後に回転ドラム２３，２４，２５の回転が停止し、このときの回転ドラム２３，２４，２５が夫々予め設定した所定の識別情報、例えば「７」、「７」、「７」を表示した場合に可変入賞球装置４１の開閉板４２が３０秒間、または入賞口４２ａにパチンコ球が１０個入賞するまで開成するようになされている。」（第４頁左上欄第５〜１８行）
　してみると、
　刊行物２，３の上記記載に見られるように、以下（Ａ）の事項が当該技術分野において周知である。　　
　（Ａ）電動入賞装置を１個配置し、可変表示装置の表示結果が予め定めた表示結果となったときに、当該電動入賞装置を開放する遊技手法、及び可変表示装置を始動させる為の入賞口を当該可変表示装置の下方に配置すること。　　
［３］対比　　　
　刊行物１に記載された発明と本願発明１とを比較する。
　（ア）前者における、「図柄停止口」は、後者における「作動口」に対応し、（イ）前者における、「第１、第２入賞装置」は、後者における「複数の電動入賞装置」に対応し、（ウ）前者における「図柄表示器」は、後者における「可変表示装置」に対応し、（エ）前者の第２図に示される第１入賞装置の「約０．８秒」、「約５ｓｅｃ」、及び第２入賞装置の「約５ｓｅｃ」が、後者において、第８図の普通電動役物１０の「１．４００秒（Ｔ４）」、「５．６００秒（Ｔ５）」、及び第９図の普通電動役物１２ａ、１２ｂの「５．７００秒（Ｔ６）」に相当することは明らかである。
　してみると両者は、
　玉受部材の開放時間が予め定められた所定時間内に設定される複数の電動入賞装置を備えた弾球遊技機において、　前記複数の電動入賞装置は、作動口への入賞に基づいて表示結果を導出する可変表示装置の表示結果が予め定めた表示結果となったときに開放される複数の電動入賞装置の一方の電動入賞装置と、一方の電動入賞装置への打玉の入賞に基づいて開放される他方の電動入賞装置と、に分類される一方、前記可変表示装置を遊技盤のほぼ中央に配置すると共に前記作動口を配置し、さらに少なくとも当該一方の電動入賞装置を当該他方の電動入賞装置より上方に配置し、少なくとも当該一方の電動入賞装置における前記所定時間内の開放時間を複数個に分割すると共に、その分割された各開放時間に対応する当該一方の電動入賞装置の開放動作が当該他方の電動入賞装置の前記所定時間内の開放時間とほぼ同じ時間間隔を置いて行われるように開放制御されることを特徴とする弾球遊技機、の点で一致し、以下の点で相違する。　
　相違点１
　電動入賞装置の開放中に当該入賞装置に打球が入賞すると、次の電動入賞装置を開放させる連動動作に関して、前者は電動入賞装置を２個配置した２連動動作型であるのに対し、後者は、電動入賞装置を３個配置した３連動動作型である点。
　相違点２　　　
　作動口の配置個所として、前者は可変表示装置の上方であるのに対し、後者は可変表示装置の下方である点。　
　相違点３　　　
　　連動動作する複数の電動装置の遊技盤上の配置箇所として、前者においては格別の記載は認められないが、第１図には、連動動作の元となる電動入賞装置が、連動される電動入賞装置より上方に配置され、かつ、遊技盤の同一縦方向線上に配置されているのに対し、後者においては連動動作の元となる電動入賞装置が、連動される電動入賞装置より上方に配置され、かつ、両電動入賞装置が遊技盤の同一縦方向線上に位置しないようにずらして配置されている点。　
　　　　
［４］相違点の検討
　相違点１
　電動入賞装置を１個配置し、可変表示装置の表示結果が予め定めた表示結果となったときに、当該電動入賞装置を開放する遊技手法は、前記（Ａ）に記載したように周知であり、加えるに、当該電動入賞装置にさらに電動入賞装置を追加配置して当該２個の電動入賞装置を用いた２連動動作型とした遊技手法が刊行物１に示されている。　
　してみると、２個の電動入賞装置を用いた２連動動作型とした遊技手法が示されている刊行物１に、さらに電動入賞装置を追加して３個とすることは、前記のように電動入賞装置を１個、２個とした増加状態を勘案すれば、当業者が容易に為しえる程度のことであり、追加に際して３連動動作を構成することも、以下に記載するように当業者が容易に為し得ることである。
　すなわち、刊行物１には上記（１−４）のとおり、第２入賞装置を一定間隔で開閉することが記載されており、この一定間隔で開閉することは、第１入賞装置と同様であるから、第２入賞装置とさらに重畳させる電動入賞装置との関係として、第１入賞装置と第２入賞装置との間に規定されている前記（１−２）、（１−３）、（１−５）に記載されるような関係を採用することにより３連動作型に変更でき、当該採用は当業者が容易に為しえる程度の事項である。
　しかも、２連動動作型を３連動動作型にすることによる効果も、電動入賞装置を１個から２個に増加させたことによる効果の延長上から予測できる範囲内の効果である。　
　相違点２　
　可変表示装置を動作させる作動口の配置個所として、可変表示装置の下方とすることは、前記（Ａ）に記載したように周知の配置個所であり、当該箇所に限定したことによる効果も格別のものとは認められないから、当該相違点は単なる設計的変更であり、格別のものではない。　　
　相違点３　　　
　複数の電動装置を遊技盤上に配置する配置手法としては、遊技盤の同一縦方向線上に電動入賞装置同士が重なる配置（一部重なりも含む）となるか、または重ならない配置となるかの２者択一となることは明らかであり、どちらを選択するかは単なる設計的事項である。
　また、連動動作型の電動入賞装置において、連動動作の元となる電動入賞装置を、連動される電動入賞装置より上方に配置することは、前記周知例２に示されるように周知の配置である。
　しかも、複数の電動入賞装置を本願発明１のように配置したことによる効果も予測の範囲内の効果であり格別なものではない。
　したがって、当該相違点は当業者が適宜為し得る設計的事項である。
　　
［５］むすび
 本願発明は、引用刊行物に記載された発明、及び周知事項に基づいて当業者が容易に発明をすることができたものであるから、特許法第２９条第２項の規定により特許を受けることができない。
　よって結論のとおり審決する。